(57)【要約】【課題】電気機器の作動／非作動に応じて異なる波長で放射される光を正確に検出することが可能な作動検出装置、及び該作動検出装置を備えるカードタイマ装置を提供する。【解決手段】ＴＶ２００の電源投入／待機状態に応じて緑色／赤色（橙色を含む）の光を放射する電源モニタランプ２０１からの光を、緑色のカラーフィルタ２１とフォトダイオード２３、及び赤色のカラーフィルタ２２とフォトダイオード２４からなる２組の受光器で各別に受光して電気信号に変換し、変換された電気信号の夫々を緑信号検出回路２５及び赤（橙）信号検出回路２６で各別に検出する。そして、２つの検出値の変化量の何れかが所定の閾値以上の場合に、赤（橙）信号検出回路２６の検出値の変化量から、緑信号検出回路２５の検出値の変化量を減算し、その減算結果に基づいてＴＶ２００が電源投入／待機状態になったことを判定する。【選択図】図１
2011250116.tif 000002
【特許請求の範囲】
【請求項１】
電気機器の作動／非作動に応じて波長が異なる光を放射するランプの光を検知して前記作動／非作動を検出する作動検出装置において、
前記波長が異なる光に対する分光感度特性が相異なる２つの受光器と、
各受光器からの信号を夫々検出する２つの信号検出器と、
各信号検出器の検出値の変化量を夫々算出する２つの算出手段と、
一の算出手段が算出した変化量が所定の閾値以上の場合、前記２つの算出手段が算出した変化量を比較する手段とを備え、
該手段の比較結果に基づいて、前記電気機器の作動／非作動を検出するようにしてあること
を特徴とする作動検出装置。
【請求項２】
前記波長が異なる光は、緑色と赤色（又は緑色と橙色）の光であることを特徴とする請求項１に記載の作動検出装置。
【請求項３】
前記受光器は、緑色と赤色（又は緑色と橙色）のカラーフィルタ及びフォトダイオードを含むことを特徴とする請求項２に記載の作動検出装置。
【請求項４】
前記受光器は、緑色と赤色（又は緑色と橙色）のＬＥＤであることを特徴とする請求項２に記載の作動検出装置。
【請求項５】
前記受光器は、前記電気機器の表面に取着した状態で前記ランプの前方を覆うべく構成してあることを特徴とする請求項１から４の何れか１項に記載の作動検出装置。
【請求項６】
前記電気機器について検出した作動／非作動を表示する表示器を備えることを特徴とする請求項１から５の何れか１項に記載の作動検出装置。
【請求項７】
請求項１から６に記載の作動検出装置と、
有価価値が記録されたメモリカードにデータを読み書きするリーダ・ライタと、
前記作動検出装置が前記電気機器の作動を検出してから非作動を検出するまでの間の時間経過に応じて前記メモリカードに記録された有価価値を減算する手段と
を備えることを特徴とするカードタイマ装置。
【請求項８】
前記電気機器の表面に前記受光器を取着する取着部材を備えることを特徴とする請求項７に記載のカードタイマ装置。
【発明の詳細な説明】
【技術分野】
【０００１】
本発明は、電気機器の作動／非作動に応じて波長が異なる光を放射するランプの光を検知して前記作動／非作動を検出する作動検出装置、及び該作動検出装置を備えるカードタイマ装置に関する。
【背景技術】
【０００２】
近年、病院、ホテル等の施設において、各室に設置されたテレビジョン受像機、冷蔵庫等の電気機器は、その利用を有償とするためにカードタイマ装置に接続されている場合が多い。これらの電気機器は、度数、金額等の有価価値が有効に記録されたプリペイドカードがカードタイマ装置に装着されることによって初めて利用が可能となり、その利用時間に応じてプリペイドカードから有価価値が引き落とされる。
【０００３】
カードタイマ装置がプリペイドカードから有価価値を引き落とすには、カードタイマを介して利用されている電気機器の利用期間を正確に把握する必要がある。通常、カードタイマ装置によって使用が制約されている電気機器には、そのカードタイマ装置から電源が供給されているため、カードタイマ装置は、電気機器の電源電流（消費電流）を検出することによって、電気機器の利用期間を把握することが行われている。
【０００４】
テレビジョン受像機のようにリモートコントローラ（以下リモコンという）によって電源投入／待機状態が切り替わる電気機器の場合、カードタイマ装置は、例えば、有効なプリペイドカードが装着されたときに主電源をオンさせておき、リモコンによって電源投入状態となっている期間を検出してプリペイドカードから有価価値を引き落とす。一方、昨今のテレビジョン放送では、電子番組表（ＥＰＧ：Electric Program Guide ）が１日数回、所定時間帯に配布されており、これがテレビジョン受像機に取得される際に、電源電流が増大して電源投入状態が誤検出されることがある。
【０００５】
これに対し、特許文献１では、テレビジョン受像機が電源投入／待機状態にある場合に、発光ダイオードからなる電源モニタランプが緑色／赤色に点灯することを利用し、電源モニタランプが緑色に点灯している期間を検出してプリペイドカードの度数を減算する技術が開示されている。
【先行技術文献】
【特許文献】
【０００６】
【特許文献１】特開２００６−１８６８２７号公報
【発明の概要】
【発明が解決しようとする課題】
【０００７】
しかしながら、発光ダイオードの輝度には大きなばらつきがあり、光−電気変換（以下、ＯＥ変換という）して増幅した電気信号の振幅の増減変化から、緑色／赤色（橙色を含む。以下、括弧書きで単に橙色と記す）の点灯を正確に弁別することは困難である。特許文献１にはこれを解決する方法について、何らの具体的な記述もなされていない。
【０００８】
そこで、緑色／赤色（橙色）のカラーフィルタによって、赤色（橙色）／緑色の光を抑圧し、緑色及び赤色（橙色）の光を各別に検出することが考えられるが、緑色及び赤色（橙色）の発光ダイオードによる発光スペクトルには広範囲にわたる重なりがあるため、緑色及び赤色（橙色）の光をシャープに弁別できる高価なカラーフィルタを用いなければならないという問題があった。また、安価なカラーフィルタを用いた場合は、緑色及び赤色（橙色）の光の弁別が十分でないため、緑色／赤色（橙色）の光の検出器によって検出される赤色（橙色）／緑色の光の検出値の最大値が、本来の緑色／赤色（橙色）の光の検出値の最小値を越える場合が生じて、緑色／赤色（橙色）の点灯を正確に弁別することができなかった。
【０００９】
本発明は斯かる事情に鑑みてなされたものであり、その目的とするところは、電気機器の作動／非作動に応じて異なる波長で放射される光を正確に検出することが可能な作動検出装置、及び該作動検出装置を備えるカードタイマ装置を提供することにある。
【課題を解決するための手段】
【００１０】
本発明に係る作動検出装置は、電気機器の作動／非作動に応じて波長が異なる光を放射するランプの光を検知して前記作動／非作動を検出する作動検出装置において、前記波長が異なる光に対する分光感度特性が相異なる２つの受光器と、各受光器からの信号を夫々検出する２つの信号検出器と、各信号検出器の検出値の変化量を夫々算出する２つの算出手段と、一の算出手段が算出した変化量が所定の閾値以上の場合、前記２つの算出手段が算出した変化量を比較する手段とを備え、該手段の比較結果に基づいて、前記電気機器の作動／非作動を検出するようにしてあることを特徴とする。
【００１１】
本発明にあっては、電気機器の作動／非作動に応じて波長が異なる光を放射するランプからの光を、各波長の光に対する感度の大小が互いに逆転する２つの受光器で各別に受光して電気信号に変換し、変換された電気信号の夫々を２つの信号変換器で各別に検出する。そして、２つの検出値の変化量の何れかが所定の閾値以上の場合に２つの変化量を比較し、その結果に基づいて電気機器の作動／非作動を検出する。
これにより、先ずランプから放射される光の波長の変化を確実に検出する。また、各波長の光に対する受光器の感度差を大きく取れず、且つ、ランプにおける各波長の光の発光強度差が拡大する方向にばらついているために、各信号変換器の検出値の増減変化に基づいて、何れの波長の光が放射されているのかを検出できない場合であっても、夫々の検出値の変化量の大小関係に基づいて、ランプから放射されている光の波長の違いを検出する。
【００１２】
本発明に係る作動検出装置は、前記波長が異なる光は、緑色と赤色（又は緑色と橙色）の光であることを特徴とする。
【００１３】
本発明にあっては、電気機器の作動／非作動に応じてランプから放射される光が、緑色／赤色、又は緑色／橙色の何れかの組合せの場合に、ランプから放射されている光の波長の違いを検出する。
これにより、作動／非作動に応じてランプから緑色／赤色（橙色を含む）の光を放射させる標準的な電気機器について、作動／非作動を正確に検出する。
【００１４】
本発明に係る作動検出装置は、前記受光器は、緑色と赤色（又は緑色と橙色）のカラーフィルタ及びフォトダイオードを含むことを特徴とする。
【００１５】
本発明にあっては、２つの受光器の夫々が、緑色のカラーフィルタとフォトダイオード、及び赤色（橙色）のカラーフィルタとフォトダイオードを含むため、カラーフィルタの分光特性の違いが、ほぼそのまま受光器の分光感度特性の違いとなり、フォトダイオードは標準的な分光感度特性でＯＥ変換する。
【００１６】
本発明に係る作動検出装置は、前記受光器は、緑色と赤色（又は緑色と橙色）のＬＥＤであることを特徴とする。
【００１７】
本発明にあっては、２つの受光器の夫々が、緑色及び赤色（橙色）に発光するＬＥＤからなり、各ＬＥＤが、分光感度特性の異なる受光素子としてＯＥ変換を行う。
【００１８】
本発明に係る作動検出装置は、前記受光器は、前記電気機器の表面に取着した状態で前記ランプの前方を覆うべく構成してあることを特徴とする。
【００１９】
本発明にあっては、電気機器の表面に受光器を取着させた場合に、受光器が電気機器のランプを覆うようにしてあるため、電気機器のランプから放射された光を効率よく受光する。
【００２０】
本発明に係る作動検出装置は、前記電気機器について検出した作動／非作動を表示する表示器を備えることを特徴とする。
【００２１】
本発明にあっては、表示器が作動／非作動を表示するため、電気機器のランプが受光器に覆われて外部から視認されない場合であっても、電気機器のランプに代替して電気機器の作動／非作動を表示する。
【００２２】
本発明に係るカードタイマ装置は、前述した発明に記載の作動検出装置と、有価価値が記録されたメモリカードにデータを読み書きするリーダ・ライタと、前記作動検出装置が前記電気機器の作動を検出してから非作動を検出するまでの間の時間経過に応じて前記メモリカードに記録された有価価値を減算する手段とを備えることを特徴とする。
【００２３】
本発明にあっては、電気機器が作動している間の経過時間に応じて、メモリカードから有価価値を減算する。
これにより、例えば、メモリカードに有価価値が残存している間だけ電気機器に電源を供給することとした場合は、電気機器が作動を開始した当初の有価価値に対応する時間だけ、電気機器の作動が許容される。
【００２４】
本発明に係るカードタイマ装置は、前記電気機器の表面に前記受光器を取着する取着部材を備えることを特徴とする。
【００２５】
本発明にあっては、受光器が電気機器の表面に取着されているため、電気機器のランプから放射される光が安定的に受光される。
【発明の効果】
【００２６】
本発明によれば、２つの信号変換器で各別に検出した検出値の変化量を比較した結果に基づいて電気機器の作動／非作動を検出する。
これにより、先ずランプから放射される光の波長の変化を確実に検出する。また、各波長の光に対する受光器の感度差を大きく取れず、且つ、ランプにおける各波長の光の発光強度差が拡大する方向にばらついているために、各信号変換器の検出値の増減変化に基づいて、何れの波長の光が放射されているのかを検出できない場合であっても、夫々の検出値の変化量の大小関係に基づいて、ランプから放射されている光の波長の違いを検出する。
従って、電気機器の作動／非作動に応じて異なる波長で放射される光を正確に検出することが可能となる。
【図面の簡単な説明】
【００２７】
【図１】本発明の実施の形態に係るカードタイマ装置の構成を示すブロック図である。
【図２】電源モニタランプの駆動回路と、緑信号検出回路及び赤（橙）信号検出回路との構成を示す回路図である。
【図３】ＬＥＤの発光強度のスペクトル分布を例示する特性図である。
【図４】人の目が各波長の光の明るさを感じる度合い示す標準比視感度曲線のグラフである。
【図５】カラーフィルタの分光透過特性を例示する特性図である。
【図６】フォトダイオードの分光感度特性を例示する特性図である。
【図７】ＬＥＤから緑信号検出回路及び赤（橙）信号検出回路までの伝達特性を模式的に示すブロック図である。
【図８】Ａは、緑信号検出回路の検出値を模式的に示す説明図、Ｂは、赤（橙）信号検出回路の検出値を模式的に示す説明図である。
【図９】ＴＶの視聴期間に応じた度数を利用カードから引き落とすＣＰＵの処理手順を示すフローチャートである。
【図１０】ＴＶの視聴期間に応じた度数を利用カードから引き落とすＣＰＵの処理手順を示すフローチャートである。
【図１１】変化量比較のサブルーチンに係るＣＰＵの処理手順を示すフローチャートである。
【発明を実施するための形態】
【００２８】
以下、本発明をその実施の形態を示す図面に基づいて詳述する。
図１は、本発明の実施の形態に係るカードタイマ装置の構成を示すブロック図である。図中１００はカードタイマ装置であり、カードタイマ装置１００は、テレビジョン受像機（以下、ＴＶという）２００が有する電源モニタランプ２０１の光を検知して、ＴＶ２００の電源投入／待機状態を検出する作動検出装置１を備える。電源モニタランプ２０１は、ＴＶ２００の電源投入／待機状態の夫々を、緑色／赤色（橙色）のＬＥＤによって表示するものである。作動検出装置１は、カードタイマ装置１００全体の動作を制御する制御部１０を有する。
【００２９】
制御部１０は、ＣＰＵ１１を含み、ＣＰＵ１１は、プログラム等の情報を記憶する図示しないＲＯＭ、一時的に発生した情報を記憶するＲＡＭ、及び時間を計時するためのタイマ、並びに各種の入出力を行う入出力ポート１４，１５、出力ポート１６及び入力ポート１７とバス接続されている。ＣＰＵ１１は、上述したＲＯＭに予め格納されている制御プログラムに従って、入出力、演算等の処理を実行する。
【００３０】
入出力ポート１４には、ＴＶ２００が視聴可能な残時間に対応する度数が記録された利用カード３１にデータを読み書きするリーダ・ライタ３が接続されている。利用カード３１は、磁気カード等の接触カード又はＩＣカード等の非接触カードからなり、そこに記録された度数は、ＴＶ２００の視聴時間に応じて減算されるようになっている。入出力ポート１５には、ＴＶ２００の視聴開始、視聴停止等の操作を受け付けるための操作スイッチ４と、利用カード３１の残度数、カードタイマ装置１００自身の状態、及びＴＶ２００の電源投入／待機状態等の情報を表示する表示器５が接続されている。上記電源投入／待機状態は、夫々緑色／赤色（橙色）のＬＥＤにより、別途表示するようにしてもよい。
【００３１】
出力ポート１６には、後述する電流検知回路６１に商用電源（ＡＣ１００Ｖ）を導通させるための図示しないリレーを有する電源リレー回路６のリレー駆動端子が接続されている。電源リレー回路６には商用電源が接続されており、出力ポート１６からの駆動信号によって上述したリレーが駆動されたときに、ＴＶ２００の電源プラグ２０２が差し込まれるべきＴＶコンセント６２に、電流検知回路６１を介して商用電源が与えられるようになっている。入力ポート１７には、ＴＶコンセント６２に流出する電源電流を検知する電流検知回路６１の検知出力端子が接続されており、検知された電源電流の値が、入力ポート１７からＣＰＵ１１に取り込まれる。但し、本実施の形態にあっては、電流検知回路６１によって検知された電源電流の値を用いて、ＴＶ２００の電源投入／待機状態を判定することはない。
【００３２】
作動検出装置１は、また、電源モニタランプ２０１から放射された光を、緑色のカラーフィルタ２１及び赤色のカラーフィルタ２２を介して各別に受光するフォトダイオード２３，２４と、該フォトダイオード２３，２４にて変換された電気信号を夫々検出する緑信号検出回路２５及び赤（橙）信号検出回路２６とを有する。カラーフィルタ２１，２２及びフォトダイオード２３，２４は、電源モニタランプ２０１の前方を覆うべく取着部材８によってＴＶ２００の前側に取着されている。緑信号検出回路２５及び赤（橙）信号検出回路２６夫々の出力端子は、Ａ／Ｄ変換器２７のアナログ入力端子に接続されており、該Ａ／Ｄ変換器２７のデジタル出力端子からは、デジタル化された緑信号検出回路２５及び赤（橙）信号検出回路２６の検出値が、制御部１０に各別に与えられるようになっている。カードタイマ装置１００の各ブロックには、商用電源を整流して安定化する安定化電源部７から直流電源が供給される。
【００３３】
上述した構成において、リーダ・ライタ３に利用カード３１が装着された場合、制御部１０が、利用カード３１に記録されている度数をリーダ・ライタ３から取り込む。取り込まれた度数が所定の度数（例えば、１５分の視聴が可能な度数）以上である場合、操作スイッチ４のＴＶ視聴要求スイッチ（図示せず）が、制御部１０によって受付可能な状態となり、表示器５に残度数が表示される。尚、以下では、操作スイッチ４から行うＴＶ２００の視聴開始、視聴停止等の操作についての説明を省略する。
【００３４】
取り込まれた度数が所定の度数以上である場合、制御部１０は、出力ポート１６を介して電源リレー回路６のリレーを駆動させ、電流検知回路６１及びＴＶコンセント６２を介してＴＶ２００に商用電源を供給する。この場合、ＴＶ２００では、主電源スイッチが常時オンとなるようにしてあるため、ＴＶ２００が待機状態となる。その後、ＴＶ２００のリモコン（図示せず）において電源スイッチが押下されたときに、ＴＶ２００が電源投入状態となり、テレビジョン放送の映像の表示が開始されて視聴が可能となる。
【００３５】
一方、制御部１０は、緑信号検出回路２５及び赤（橙）信号検出回路２６夫々の検出値をＡ／Ｄ変換器２７から時系列的に取り込んで、前回取り込んだ検出値からの変化量を各別に算出しており、算出した変化量の何れかが所定の閾値以上となった場合に、ＴＶ２００の電源投入／待機状態を検出する。ここでは、電源投入状態を検出している間に、ＴＶ２００の視聴時間に応じた度数を算出して、リーダ・ライタ３に挿入されている（又は翳されている）利用カード３１に記録されている度数から引き落とす。
【００３６】
次に、要部の回路構成について説明する。
図２は、電源モニタランプ２０１の駆動回路と、緑信号検出回路２５及び赤（橙）信号検出回路２６との構成を示す回路図である。電源モニタランプ２０１は、共通のアノードが電源に接続された緑色のＬＥＤ２０１ａと橙色のＬＥＤ２０１ｂとを有する。ＬＥＤ２０１ａのカソードは、抵抗器Ｒ１１及びスイッチＳ１１の直列回路を介して接地電位に接続されている。同様にＬＥＤ２０１ｂのカソードは、抵抗器Ｒ１２及びスイッチＳ１２の直列回路を介して接地電位に接続されている。スイッチＳ１１，Ｓ１２の夫々は、ＴＶ２００が電源投入状態及び電源待機状態にあるときにオンされるようになっている。
【００３７】
ＬＥＤ２０１ａ，２０１ｂから放射された光を受光するフォトダイオード２３，２４夫々のカソードは、抵抗器Ｒ２１，Ｒ２２によって負帰還がかけられた演算増幅器ＩＣ２１，ＩＣ２２の反転入力端子に各別に接続されている。フォトダイオード２３，２４夫々のアノードは、接地電位に接続されている。演算増幅器ＩＣ２１，ＩＣ２２夫々の出力端子は、抵抗器Ｒ２３，Ｒ２４を介して演算増幅器ＩＣ２３，ＩＣ２４の反転入力端子に各別に接続されている。演算増幅器ＩＣ２３，ＩＣ２４の夫々は、抵抗器Ｒ２７，ＲＴ１の直列回路、及び抵抗器Ｒ２８，ＲＴ２の直列回路によって負帰還がかけられており、夫々の非反転入力端子は、抵抗器Ｒ２５，Ｒ２６を介して接地電位に接続されている。
【００３８】
以下では、緑信号検出回路２５の動作について説明する。赤（橙）信号検出回路２６の動作についても同様である。
フォトダイオード２３がＬＥＤ２０１ａ，２１０ｂから放射された光を受光して発生させた光電流は、入力インピーダンスが無限大とみなされる演算増幅器ＩＣ２１の反転入力端子には流入せず、抵抗器Ｒ２１側に流入する。一方、演算増幅器ＩＣ２１の反転入力端子は、非反転入力端子が接続されている接地電位と同電位（ゼロＶ）になるため、演算増幅器ＩＣ２１の出力端子に現れる電圧は、上記光電流と抵抗器Ｒ２１の値との積について符号を反転させた値に対応する電圧となる。つまり、演算増幅器ＩＣ２１は、フォトダイオード２３の光電流を一定倍率で電圧に変換する電流−電圧変換回路として機能する。
【００３９】
演算増幅器ＩＣ２３は、標準的な反転増幅器であり、その増幅度の絶対値は、抵抗器Ｒ２７，ＲＴ１の直列抵抗値を抵抗器Ｒ２３の抵抗値で割った値となる。本実施の形態では、標準的な光度を有する緑色のＬＥＤによってＬＥＤ２０１ａを代替させたときに、演算増幅器ＩＣ２３から所定の電圧が出力されるように、抵抗器ＲＴ１の抵抗値を調整する。これにより、主にフォトダイオード２３の感度（ＯＥ変換効率）のばらつきが吸収される。同様に、標準的な光度を有する赤色（橙色）のＬＥＤによってＬＥＤ２０１ｂを代替させたときに、演算増幅器ＩＣ２４から所定の電圧が出力されるように、抵抗器ＲＴ２の抵抗値を調整する。
【００４０】
以下では、ＬＥＤ２０１ａ，２０１ｂからの放射光が、カラーフィルタ２１，２２を透過してフォトダイオード２３，２４に受光され、ＯＥ変換されて緑信号検出回路及び２５及び赤（橙）信号検出回路２６にて検出されるまでを順に説明する。次いで、検出結果の変化量の比較結果に基づいて、ＴＶ２００の電源投入／待機状態を判定する方法について説明する。
尚、本実施の形態にあっては、ＬＥＤ２０１ａ，２０１ｂの発光色の組合せを黄緑色に近い緑色及び橙色とし、緑色及び赤色の組合せの場合よりも放射光の波長の差が小さいために発光色の弁別が困難な場合について説明する。ＬＥＤ２０１ａ，２０１ｂは、ＬＥＤに限定されず、例えば、緑色及び赤色のカラーフィルタで各別に覆われた２つの白熱電球であってもよい。
【００４１】
図３は、ＬＥＤ２０１ａ，２０１ｂの発光強度のスペクトル分布を例示する特性図である。図の横軸は波長：λ（ｎｍ）を表し、縦軸は放射光の放射中心における相対強度を表す。また、実線及び破線の夫々は、ＬＥＤ２０１ａ及びＬＥＤ２０１ｂの特性を示す。一般的に、可視光を色で分類すると、緑色（黄緑色を含む）は４９５〜５７０ｎｍ、橙色は５９０〜６２０ｎｍ、赤色は６２０〜７５０ｎｍ程度の波長を有すると言われる。図３では、ＬＥＤ２０１ａ，２０１ｂからの放射光の相対強度が、夫々５７５ｎｍ及び６１５ｎｍの波長においてピークを有している。また、ＬＥＤ２０１ａからの放射光のスペクトル半値幅に対応する波長の上限と、ＬＥＤ２０１ｂからの放射光のスペクトル半値幅に対応する波長の下限とが略同一となるほど発光スペクトルが接近していることが読み取れる。
【００４２】
図４は、人の目が各波長の光の明るさを感じる度合い示す標準比視感度曲線のグラフである。図の横軸は波長：λ（ｎｍ）を表し、縦軸は比視感度（％）を表す。図３のスペクトル分布と、図４の比視感度曲線とを照らし合わせると、ＬＥＤ２０１ａ，２０１ｂからの放射光の相対強度がピークとなる５７５ｎｍ及び６１５ｎｍの波長において、比視感度の値が夫々０．９及び０．５であり、２倍近い開きがある。つまり、ＬＥＤ２０１ｂからの光の強度を、ＬＥＤ２０１ａからの光の強度の略２倍にすれば、人の目には略同一の明るさとして感じられることが示される。
【００４３】
図５は、カラーフィルタ２１，２２の分光透過特性を例示する特性図である。図の横軸は波長：λ（ｎｍ）を表し、縦軸は相対透過度（％）を表す。また、実線及び破線の夫々は、緑色及び赤色のカラーフィルタ２１，２２の特性を示す。図３のスペクトル分布と、図５の分光透過特性とを照らし合わせると、緑色のカラーフィルタ２１については、５７５ｎｍ及び６１５ｎｍ夫々の波長における相対透過度が約７０％及び２５％であり、緑色のＬＥＤ２０１ａからの放射光に対して橙色のＬＥＤ２０１ｂからの放射光が約３５％（２５／７０≒０．３５）に抑圧されて透過する。同様に、赤色のカラーフィルタ２２については、５７５ｎｍ及び６１５ｎｍ夫々の波長における相対透過度が約１７％及び７０％であり、橙色のＬＥＤ２０１ｂからの放射光に対して緑色のＬＥＤ２０１ａからの放射光が約２５％（１７／７０≒０．２５）に抑圧されて透過する。
【００４４】
図６は、フォトダイオード２３，２４の分光感度特性を例示する特性図である。図の横軸は波長：λ（ｎｍ）を表し、縦軸はＯＥ変換の相対感度（％）を表す。図３のスペクトル分布と、図６の分光感度特性とを照らし合わせると、５７５ｎｍ及び６１５ｎｍ夫々の波長における相対感度が約５２％及び６７％であり、橙色のＬＥＤ２０１ｂからの放射光についての感度に対して、緑色のＬＥＤ２０１ａからの放射光についての感度が約７８％（５２／６７≒０．７８）に低下する。
【００４５】
以上の各特性を踏まえ、緑色のＬＥＤ２０１ａ及び橙色のＬＥＤ２０１ｂから放射された光が、カラーフィルタ２１，２２を透過してフォトダイオード２３，２４に受光され、ＯＥ変換されて緑信号検出回路２５及び赤（橙）信号検出回路２６の夫々から検出値として出力されるまでの伝達特性をモデル化する。
図７は、ＬＥＤ２０１ａ，２０１ｂから緑信号検出回路２５及び赤（橙）信号検出回路２６までの伝達特性を模式的に示すブロック図である。以下では、各ブロックの伝達関数について説明する。実際の伝達関数は、波長によって異なる値を取るが、ここでは簡略化のため、緑色及び赤色（橙色）のピーク波長について定義する。
【００４６】
本実施の形態におけるＬＥＤ２０１ａ，２０１ｂの発光強度は、素子の個体差により、平均値に対して２倍から０．５倍のばらつきがある。ここでは、緑色のＬＥＤ２０１ａ及び橙色のＬＥＤ２０１ｂ夫々の正規化された発光強度（Luminous Intensity ）をＬＩｇ（）及びＬＩｒ（）と表し、各発光強度のばらつき範囲内の平均値ＬＩｇ（ｔｙｐ），ＬＩｒ（ｔｙｐ）を１として正規化する。従って、ＬＩｇ（）及びＬＩｒ（）の夫々は、０．５〜２の範囲の値を取り得る。これらの発光強度を有するＬＥＤ２０１ａ，２０１ｂ夫々からの放射光が、カラーフィルタ２１，２２に入射する。但し、ＬＥＤ２０１ａ，２０１ｂから放射される光の指向特性については、ＬＥＤ２０１ａ，２０１ｂ夫々と、カラーフィルタ２１，２２と、フォトダイオード２３，２４との光軸が各別に一致することを前提にして、特段の考慮を行わないものとする。
【００４７】
さて、ＬＥＤ２０１ａからの放射光は、カラーフィルタ２１のみならず、カラーフィルタ２２にも入射する。同様に、ＬＥＤ２０１ｂからの放射光は、カラーフィルタ２２のみならず、カラーフィルタ２１にも入射する。一方、図４を用いて説明したように、５７５ｎｍ及び６１５ｎｍの波長における比視感度の値の差に応じて、ＬＥＤ２０１ａ，２０１ｂの発光強度を異ならせてある場合、カラーフィルタ２１に対するＬＥＤ２０１ａの発光強度と、カラーフィルタ２２に対するＬＥＤ２０１ｂの発光強度とは、比視感度を考慮して更に正規化する必要がある。
【００４８】
ここでは、図４を参照して、５７５ｎｍの波長における比視感度によって正規化した６１５ｎｍの波長における比視感度（Luminosity Function ）をＬＦｒと表す。本実施の形態では、ＬＦｒ＝０．５６（０．５／０．９）となる。従って、カラーフィルタ２２に対するＬＥＤ２０１ａの正規化された発光強度は、ＬＩｇ（）・ＬＦｒと換算される。同様に、カラーフィルタ２１に対するＬＥＤ２０１ｂの正規化された発光強度は、ＬＩｒ（）／ＬＦｒと換算される。ＬＩｇ（）・ＬＦｒ及びＬＩｒ（）／ＬＦｒ夫々の発光強度で表される放射光は、フォトダイオード２４，２３の夫々がＬＩｒ（）及びＬＩｇの発光強度で表される放射光を受光する際の妨害光となる。
【００４９】
尚、実際には、カラーフィルタ２２，２１夫々の光軸に対して、ＬＥＤ２０１ａ，２０１ｂからの放射光が斜めに入射することが考えられるため、ＬＩｇ（）・ＬＦｒ及びＬＩｒ（）／ＬＦｒの実効的な値は、より小さい値となるが、本実施の形態ではこれらの妨害光が最大限の強度でカラーフィルタ２２，２１に入射するものとして説明する。
【００５０】
次に、カラーフィルタ２１における相対透過度については、５７５ｎｍの波長を有する緑色の光に対する相対透過度によって、６１５ｎｍの波長を有する橙色の光に対する相対透過度（TRansmittance ）を正規化し、これをＴＲｇｒとして表す。この定義より、６１５ｎｍの波長を有する光に対する正規化された相対透過度は１となる。また、本実施の形態では、図５の説明よりＴＲｇｒ≒０．３５となる。同様に、カラーフィルタ２２については、６１５ｎｍの波長を有する橙色の光に対する相対透過度によって、５７５ｎｍの波長を有する緑色の光に対する相対透過度を正規化し、これをＴＲｒｇとして表す。これにより、５７５ｎｍの波長を有する光に対する正規化された相対透過度は１であり、ＴＲｒｇ≒０．２５となる。
【００５１】
次に、フォトダイオード２４の相対感度については、６１５ｎｍの波長を有する橙色の光に対する相対感度によって、５７５ｎｍの波長を有する緑色の光に対する相対感度（Photo Sensitivity ）を正規化し、これをＰＳｇとして表す。この定義より、６１５ｎｍの波長を有する光に対する正規化された相対感度は１であり、図６の説明より、ＰＳｇ≒０．７８となる。同様に、フォトダイオード２３について、５７５ｎｍの波長を有する緑色の光に対する相対感度により、６１５ｎｍの波長を有する橙色の光に対する相対感度（Photo Sensitivity ）を正規化した場合、６１５ｎｍの波長を有する光に対する正規化された相対感度は、１／ＰＳｇと表される。また、５７５ｎｍの波長を有する光に対する正規化された相対感度は１となる。
【００５２】
残る緑信号検出回路２５及び赤（橙）信号検出回路２６の増幅度については、分光特性を有しないため、正規化された増幅度を１とする。
【００５３】
図７の各ブロックには、前述したとおりに正規化された発光強度、相対透過度、相対感度、及び増幅度が、伝達関数として記載されている。例えば、ＬＥＤ２０１ａ，２０１ｂの夫々から、ＬＩｇ（）及びＬＩｒ（）の発光強度で放射された光は、伝達関数の値が全て１のブロックを伝達して、緑信号検出回路２５及び赤（橙）信号検出回路２６の夫々から、ＬＩｇ（）及びＬＩｒ（）の大きさの検出値として各別に出力される。一方、ＬＥＤ２０１ａ，２０１ｂの夫々からＬＩｇ（）・ＬＦｒ及びＬＩｒ（）／ＬＦｒの発光強度で放射されてカラーフィルタ２２及びカラーフィルタ２１に入射した光は、以下の式（１），（２）にて示される大きさの検出値として、緑信号検出回路２５及び赤（橙）信号検出回路２６から各別に出力される。
【００５４】
ＬＩｇ（）・ＬＦｒ・ＴＲｒｇ・ＰＳｇ・・・・・・・・・・・・（１）
ＬＩｒ（）・（１／ＬＦｒ）・ＴＲｇｒ・（１／ＰＳｇ）・・・・（２）
【００５５】
式（１），（２）に対して、前述した各伝達関数の値（ＬＦｒ＝０．５６、ＴＲｒｇ≒０．２５、ＴＲｇｒ≒０．３５、ＰＳｇ≒０．７８）を代入すると、式（１），（２）の夫々は、以下の式（３），（４）のように簡略化される。
【００５６】
０．１１・ＬＩｇ（）・・・・・・・・・・・・・・・・・・・・（３）
０．８０・ＬＩｒ（）・・・・・・・・・・・・・・・・・・・・（４）
【００５７】
次に、ＬＩｇ（）及びＬＩｒ（）と、式（３），（４）とで示される検出値の大きさを視覚的に説明する。
図８Ａは、緑信号検出回路２５の検出値を模式的に示す説明図、Ｂは、赤（橙）信号検出回路２６の検出値を模式的に示す説明図である。図の横軸は各検出値を発生させた光の波長：λ（ｎｍ）を表し、縦軸は、検出値の相対的な振幅（％）を表す。また、実線の太線及び細線の夫々は、緑色のＬＥＤ２０１ａからの放射光に基づく検出値のうち、最大の振幅及び最小の振幅を有するものを示す。同様に、破線の太線及び細線の夫々は、橙色のＬＥＤ２０１ｂからの放射光に基づく検出値のうち、最大の振幅及び最小の振幅を有するものを示す。
【００５８】
図８Ａでは、実線の高さがＬＩｇ（）の値の最大値及び最小値に対応し、破線の高さが式（４）の値の最大値及び最小値に対応する。また、図８Ｂでは、実線の高さが式（３）の値の最大値及び最小値に対応し、破線の高さがＬＩｒ（）の値の最大値及び最小値に対応する。前述したように、ＬＩｇ（ｔｙｐ）＝ＬＩｒ（ｔｙｐ）＝１であり、１の値が図では１００％に相当する。また、ＬＩｇ（）及びＬＩｒ（）の夫々は、０．５〜２の範囲の値を取り得る。図８Ａから明らかなように、電源モニタランプ２０１の発光が、緑色のＬＥＤ２０１ａから橙色のＬＥＤ２０１ｂに切り替わった場合、緑信号検出回路２５の検出値は、必ずしも減少するとは限らない。従って、検出値の増減変化だけでは、ＬＥＤ２０１ａ，ＬＥＤ２０１ｂの何れが発光しているのかを判断する判断材料にならない。
【００５９】
一方の図８Ｂでは、実線の太線で示される検出値と、破線の細線で示される検出値との間に閾値を設けることにより、少なくとも橙色のＬＥＤ２０１ｂの発光のオン／オフを検出することは可能であるが、それだけでは緑色のＬＥＤ２０１ａの発光のオン／オフを検出することはできない。
【００６０】
そこで、緑信号検出回路２５の検出値の変化量と、赤（橙）信号検出回路２６の検出値の変化量との差分値を評価する。例えば、電源モニタランプ２０１の発光が、緑色のＬＥＤ２０１ａから橙色のＬＥＤ２０１ｂに切り替わった場合、緑信号検出回路２５及び赤（橙）信号検出回路２６夫々の検出値の変化量は、以下の式（５），（６）で表される。
【００６１】
ＬＩｒ（）・ＴＲｇｒ／（ＬＦｒ・ＰＳｇ）−ＬＩｇ（）・・・・（５）
ＬＩｒ（）−ＬＩｇ（）・ＬＦｒ・ＴＲｒｇ・ＰＳｇ・・・・・・（６）
【００６２】
次に、式（６）で示される変化量から、式（５）で示される変化量を減算した差分値は、以下の式（７）で示される。
【００６３】
ＬＩｒ（）・（１−ＴＲｇｒ／（ＬＦｒ・ＰＳｇ））
＋ＬＩｇ（）・（１−ＬＦｒ・ＴＲｒｇ・ＰＳｇ）・・・・・・（７）
【００６４】
ここで、前述した各伝達関数の定義より、ＴＲｇｒ、ＬＦｒ及びＰＳｇは全て１より小さい正の値をとるため、式（７）の第２項は常に正となる。また、本実施の形態における例として、ＬＦｒ、ＴＲｇｒ及びＰＳｇの夫々に、前述の０．５６、０．３５及び０．７８を代入すると、式（７）の第１項のＬＩｒ（）に掛かる係数は、０．２となる。換言すれば、式（７）の第１項のＬＩｒ（）に掛かる係数が正となるように、カラーフィルタ２１の分光透過特性を選択することにより、式（７）で示される値が常に正となり、電源モニタランプ２０１の発光が、緑色のＬＥＤ２０１ａから橙色のＬＥＤ２０１ｂに切り替わったことが正確に検出される。これにより、ＴＶ２００が電源投入状態から待機状態になったことが判定される。その逆の場合として、式（７）で示される値が負になったときは、ＴＶ２００が待機状態から電源投入状態になったことが判定される。
【００６５】
以下に、上述したカードタイマ装置１００の動作を、それを示すフローチャートを用いて説明する。
図９及び図１０は、ＴＶ２００の視聴期間に応じた度数を利用カード３１から引き落とすＣＰＵ１１の処理手順を示すフローチャートである。また、図１１は、変化量比較のサブルーチンに係るＣＰＵ１１の処理手順を示すフローチャートである。利用カード３１の受け付けが可能となった場合に図９の処理が起動される。以下の処理では、サブルーチンとの受け渡しに用いられる変化カウンタ及び変化量差分を、制御部１０の図示しないＲＡＭに記憶する。変化量比較のサブルーチンでは、ＣＰＵ１１が取り込んだ緑信号検出回路２５の検出値（以下、緑信号の検出値（ｇ）ともいう）及び赤（橙）信号検出回路２６の検出値（以下、赤（橙）信号の検出値（ｒ）ともいう）の夫々を、記憶した検出値（ｇｍ）及び検出値（ｒｍ）として上記ＲＡＭに記憶する。また、各色の検出値の変化量を変化量（ｇ）及び変化量（ｒ）として一時的にＲＡＭに記憶する。これらの記憶内容の初期値は０とする。
【００６６】
図９の処理が起動された場合、ＣＰＵ１１は、リーダ・ライタ３に利用カード３１が装着されたか否かを判定し（Ｓ１１）、装着されるまで待機する（Ｓ１１：ＮＯ）。利用カード３１が装着された場合（Ｓ１１：ＹＥＳ）、ＣＰＵ１１は、利用カード３１に記録されている残度数をリーダ・ライタ３から取り込み（Ｓ１２）、取り込んだ残度数を表示器５に表示する（Ｓ１３）。その後、ＣＰＵ１１は、取り込んだ残度数が所定数（本実施の形態では１５分の視聴が可能な度数であるが、これに限定されない）以上であるか否かを判定し（Ｓ１４）、所定数未満の場合（Ｓ１４：ＮＯ）、表示器５に残度数不足の旨を表示して（Ｓ１５）処理を終了する。
【００６７】
残度数が所定数以上の場合（Ｓ１４：ＹＥＳ）、ＣＰＵ１１は、電源リレー回路６のリレーを駆動する信号をオンさせ（Ｓ１６）、表示器５にＴＶ２００の電源オンを表示する（Ｓ１７）。この時から、図示しないリモコンによるＴＶ２００の電源投入／待機の操作が可能となる。次いで、ＣＰＵ１１は、変化カウンタを０にクリアした（Ｓ１８）後に、変化量比較に係るサブルーチンを呼び出して実行し（Ｓ１９）、サブルーチンの実行によって変化カウンタが２になったか否かを判定する（Ｓ２０）。２になっていない場合（Ｓ２０：ＮＯ）、即ち、緑信号の検出値（ｇ）及び赤（橙）信号の検出値（ｒ）の変化が未確定の場合、ＣＰＵ１１は、処理をステップＳ１９に戻す。
【００６８】
変化カウンタが２になった場合（Ｓ２０：ＹＥＳ），ＣＰＵ１１は、変化カウンタを０にクリアした（Ｓ２１）後に、サブルーチンによって算出された変化量差分が正であるか否かを判定する（Ｓ２２）。正である場合（Ｓ２２：ＹＥＳ）、即ち、電源モニタランプ２０１のうち橙色のＬＥＤ２０１ｂが点灯していると判定される場合、ＣＰＵ１１は、ＴＶ２００の電源がまだ投入されていないと判定して、処理をステップＳ１９に戻す。変化量差分が負の場合（Ｓ２２：ＮＯ）、即ち、ＴＶ２００の電源投入により、緑色のＬＥＤ２０１ａが点灯したと判定される場合、ＣＰＵ１１は、表示器５にＴＶ２００の視聴開始の旨を表示して（Ｓ２３）、処理を図１０のステップＳ３１に進める。
【００６９】
これより、図１０の処理について説明する。
ＴＶ２００の視聴が開始されたことを受けて、ＣＰＵ１１は、利用カード３１から引き落とすべき単位度数分の視聴時間の計時を開始し（Ｓ３１）、利用カード３１から単位度数を引き落として（Ｓ３２）、表示器５における残度数表示を更新する（Ｓ３３）。その後、ＣＰＵ１１は、変化量比較に係るサブルーチンを呼び出して実行し（Ｓ３４）、変化カウンタが２になったか否かを判定する（Ｓ３５）。２になった場合（Ｓ３５：ＹＥＳ）、ＣＰＵ１１は、変化カウンタを０にクリアした（Ｓ３６）後に、変化量差分が正であるか否かを判定する（Ｓ３７）。
【００７０】
変化量差分が正の場合（Ｓ３７：ＹＥＳ）、即ち、ＴＶ２００が待機状態となって、橙色のＬＥＤ２０１ｂが点灯したと判定される場合、ＣＰＵ１１は、表示器５にＴＶ２００の視聴終了の旨を表示し（Ｓ３８）、処理をステップＳ１９に戻す。これにより、ＴＶ２００の電源投入を待ち受ける処理ループに戻る。変化量差分が負の場合（Ｓ３７：ＮＯ）、即ち、依然として緑色のＬＥＤ２０１ａが点灯していると判定される場合、ＣＰＵ１１は、単位度数に応じた視聴時間の計時を継続するために、後述するステップＳ３９に処理を移す。
【００７１】
ステップＳ３５で変化カウンタが２になっていない場合（Ｓ３５：ＮＯ）、ＣＰＵ１１は、ステップＳ３１で開始した計時が終了したか否かを判定し（Ｓ３９）、終了していない場合（Ｓ３９：ＮＯ）、処理をステップＳ３４に戻す。計時が終了した場合（Ｓ３９：ＹＥＳ）、ＣＰＵ１１は、ステップＳ３３で表示した残度数が０であったか否かを判定し（Ｓ４０）、０ではない場合（Ｓ４０：ＮＯ）、処理をステップＳ３１に戻す。これにより、次の単位度数分の視聴時間の計時を開始する。
【００７２】
残度数が０であった場合（Ｓ４０：ＹＥＳ）、ＣＰＵ１１は、表示器５に利用カード３１の残度数が空になった旨を表示し（Ｓ４１）、電源リレー回路６のリレーを駆動する信号をオフさせ（Ｓ４２）、更に、表示器５にＴＶ２００の電源オフを表示して（Ｓ４３）処理を終了する。
【００７３】
次に、図１１のサブルーチンについて説明する。
図１１のサブルーチンが呼び出された場合、ＣＰＵ１１は、Ａ／Ｄ変換器２７に与えられる緑信号検出回路２５及び赤（橙）信号検出回路２６からのアナログ信号を同時にサンプル＆ホールドする（Ｓ４１）。これにより、緑信号の検出値（ｇ）及び赤（橙）信号の検出値（ｒ）の取り込みが実質的に同時に行えるようにする。その後、ＣＰＵ１１は、緑信号の検出値（ｇ）をＡ／Ｄ変換器２７から取り込み（Ｓ４２）、制御部１０のＲＡＭに記憶した検出値（ｇｍ）からの変化量（ｇ）を算出する（Ｓ４３）。続いて、ＣＰＵ１１は、赤（橙）信号の検出値（ｒ）をＡ／Ｄ変換器２７から取り込み（Ｓ４４）、記憶した検出値（ｒｍ）からの変化量（ｒ）を算出する（Ｓ４５）。
【００７４】
その後、ＣＰＵ１１は、変化量（ｇ）及び変化量（ｒ）の何れかが、所定の閾値以上であるか否かを判定する（Ｓ４６）。ここでの閾値は、温度変化、経時変化等の変動を考慮しても誤検出とならない程度の小さい値にすることが好ましい。変化量（ｇ）及び変化量（ｒ）の何れもが閾値未満の場合（Ｓ４６：ＮＯ）、ＣＰＵ１１は、検出値（ｇ）及び検出値（ｒ）の取り込みを時系列的に行うために、所定時間だけ待機して（Ｓ４７）メインルーチンにリターンする。
【００７５】
変化量（ｇ）及び変化量（ｒ）の何れかが閾値以上の場合（Ｓ４６：ＹＥＳ）、ＣＰＵ１１は、変化カウンタを１だけインクリメントした（Ｓ４８）後に、変化カウンタが２になったか否かを判定する（Ｓ４９）。２になっていない場合（Ｓ４９：ＮＯ）、ＣＰＵ１１は処理をステップＳ４７に移す。つまり、検出値（ｇ）又は検出値（ｒ）についての閾値以上の変化が２回発生したときに、検出値（ｇ）及び検出値（ｒ）の変化点として確定させる。これにより、ＬＥＤ２０１ａ，ＬＥＤ２０１ｂが短時間同時にオン又はオフする可能性がある場合に、変化量（ｇ）及び変化量（ｒ）を誤って算出することが防止される。
【００７６】
変化カウンタが２になった場合（Ｓ４９：ＹＥＳ）、ＣＰＵ１１は、記憶した検出値（ｇｍ）に取り込んだ検出値（ｇ）を記憶して（Ｓ５０）更新すると共に、記憶した検出値（ｒｍ）に取り込んだ検出値（ｒ）を記憶して（Ｓ５１）更新する。その後、ＣＰＵ１１は、変化量（ｒ）から変化量（ｇ）を減算した値を変化量の差分とし（Ｓ５２）、メインルーチンにリターンするために処理をステップＳ４７に移す。
【００７７】
以上のように本実施の形態によれば、ＴＶの電源投入／待機状態に応じて波長が異なる光を放射する電源モニタランプからの光を、各波長の光に対する感度の大小が互いに逆転する２組のカラーフィルタ及びフォトダイオードで各別に受光して電気信号に変換し、変換された電気信号の夫々を緑信号検出回路及び赤（橙）信号検出回路で各別に検出する。そして、２つの検出値の変化量の何れかが所定の閾値以上の場合に、赤（橙）信号検出回路の検出値の変化量から、緑信号検出回路の検出値の変化量を減算し、その減算結果に基づいてＴＶが電源投入／待機状態になったことを判定する。
これにより、先ず電源モニタランプから放射される光の波長の変化を確実に検出する。また、カラーフィルタにおいて各波長の光に対する相対透過度の差を大きく取れず、且つ、電源モニタランプにおける各波長の光の発光強度差が拡大する方向にばらついているために、緑信号検出回路及び赤（橙）信号検出回路の検出値の増減変化に基づいて、何れの波長の光が放射されているのかを検出できない場合であっても、夫々の検出値の変化量の大小関係に基づいて、電源モニタランプから放射されている光の波長の違いを検出する。
従って、電気機器の作動／非作動に応じて異なる波長で放射される光を正確に検出することが可能となる。
【００７８】
また、ＴＶの電源投入／待機状態に応じて電源モニタランプから放射される光が、緑色／赤色、又は緑色／橙色の何れかの組合せの場合に、電源モニタランプから放射されている光の波長の違いを検出する。
従って、作動／非作動に応じて電源モニタランプから緑色／赤色（橙色）の光を放射させる標準的な電気機器について、作動／非作動を正確に検出することが可能となる。
【００７９】
更にまた、緑色のカラーフィルタとフォトダイオード、及び赤色のカラーフィルタとフォトダイオードが、夫々受光器を構成するため、カラーフィルタの分光特性の違いが、ほぼそのまま受光器の分光感度特性の違いとなり、フォトダイオードは標準的な分光感度特性でＯＥ変換するものが利用できる。
【００８０】
更にまた、ＴＶの前面に、カラーフィルタ及びフォトダイオードからなる受光器を取着させた場合に、受光器がＴＶの電源モニタランプを覆うようにしてあるため、電機機器のランプから放射された光を効率よく受光することが可能となる。
【００８１】
更にまた、表示器がＴＶの電源投入／待機状態、即ちＴＶが視聴されているか否かを表示するため、電気機器のランプが受光器に覆われて外部から視認されない場合であっても、電気機器のランプに代替して電気機器の作動／非作動を表示することが可能となる。
【００８２】
更にまた、ＴＶの電源が投入されている間の経過時間に応じて、利用カードから単位度数を引き落とす。
従って、電気機器が作動を開始した当初の有価価値に対応する時間だけ、電気機器の作動を許容することが可能となる。
【００８３】
更にまた、カラーフィルタ及びフォトダイオードからなる受光器がＴＶの前面に取着されているため、電気機器のランプから放射される光を安定的に受光することが可能となる。
【００８４】
尚、本実施の形態にあっては、緑色のカラーフィルタとフォトダイオード、及び赤色のカラーフィルタとフォトダイオードを、夫々受光器として用いているが、２つの受光器の夫々を、緑色及び赤色（橙色）の発光するＬＥＤに置き換えてもよい。
この場合は、各ＬＥＤが、分光感度特性の異なる受光素子としてＯＥ変換を行うことが可能となる。
【００８５】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【符号の説明】
【００８６】
１００  カードタイマ装置
１  作動検出装置
１０  制御部
１１  ＣＰＵ
２１、２２  カラーフィルタ（受光器の一部）
２３、２４  フォトダイオード（受光器の一部）
２５  緑信号検出回路（信号検出器）
２６  赤（橙）信号検出回路（信号検出器）
３  リーダ・ライタ
３１  利用カード（メモリカード）
５  表示器
８  取着部材
２００  ＴＶ
２０１  電源モニタランプ（ランプ）
２０１ａ、２０１ｂ  ＬＥＤ
【図１】
2011250116.tif 000003
【図２】
2011250116.tif 000004
【図３】
2011250116.tif 000005
【図４】
2011250116.tif 000006
【図５】
2011250116.tif 000007
【図６】
2011250116.tif 000008
【図７】
2011250116.tif 000009
【図８】
2011250116.tif 000010
【図９】
2011250116.tif 000011
【図１０】
2011250116.tif 000012
【図１１】
2011250116.tif 000013